(57)【要約】【課題】室内換気口から流入する気流と騒音の方向を任意に制御し、また化粧カバーの外部表面での結露の発生を抑制する。【解決手段】化粧カバー６を、浅い帽状に成形すると共に外周壁の一部を切欠して通気開口部６Ａとする。該化粧カバー６を、室内換気口本体部１Ａの前面を覆うように組み付ける。更に、該化粧カバー６を、その円周方向に回動可能とする。また、化粧カバー６の内側には該化粧カバー６との間に空間部Ｓが形成される位置で内面カバー７を設ける。【選択図】図３
2009007912.tif 000002
【特許請求の範囲】
【請求項１】
外気を取り入れる換気経路の室内側端末開口部に装着される室内換気口において、浅い帽状に成形すると共に外周壁の一部を切欠して通気開口部となした化粧カバーを、室内換気口本体部の前面を覆うように組み付け、更に該化粧カバーを、その円周方向に回動可能となし、該化粧カバーの内側には該化粧カバーとの間に空間部が形成される位置で内面カバーが設けられていることを特徴とする室内換気口。
【請求項２】
内面カバーを有孔材としてなる請求項１記載の室内換気口。
【請求項３】
化粧カバーの内面に多孔質材の層を設けてなる請求項２記載の室内換気口。
【請求項４】
化粧カバーの少なくとも外部表面を多孔質材の薄膜で被覆してなる請求項１、２又は３記載の室内換気口。
【請求項５】
化粧カバーを多孔質材で成形してなる請求項１又は２記載の室内換気口。
【発明の詳細な説明】
【技術分野】
【０００１】  本発明は外気を取り入れる換気経路の室内側端末開口部に装着される室内換気口に関するものである。
【背景技術】
【０００２】  家屋の壁面等には、室内の換気を行うための外気を取り入れる換気経路が設けられ、そしてその室内側端末開口部には、レジスターとも称される室内換気口が装着される。【０００３】  また、該室内換気口は、例えば図１に示す如き構成である。即ち、該室内換気口１は、フランジ２の背面に円筒状の胴部３を突設してなる本体部１Ａを、その胴部３を、壁面等に設けられた換気経路の室内側端末開口部（図示せず。）に挿入して装着するようになされている。そして、リング状の回動摘み４を回動させて開口部５の開口面積を変化させ、通気量の調整及び通気の遮断の操作を行うようになされている。【０００４】  ところで、外気を取り入れるときにおいて、室内換気口から流入する気流がそのまま居住者に当たるような状況においては、ときには生活空間の中において居住者に不快感を与えることもある。特に外気の温度が低い場合には、冷気は室内の下層に流れることから、居住者に強い寒気を覚えさせることになり、健康上の点からも好ましくない。【０００５】  然るに、従来の室内換気口は、換気経路を経て流入する空気をそのまま前方に放出するだけであるから、上記の問題点がそのままその解決課題となっていた。【０００６】  また、室内換気口があると、換気経路を通った外部の騒音、例えば交通騒音等が室内換気口から室内に侵入する。この場合には落ち着いた生活ができなく、特に夜間には不眠等の原因となり、健康上の被害を惹き起こすこともある。【０００７】  また、本発明とは構成が異なるものであるが、これらの点を考慮したものが特許文献１に示されている。
【特許文献１】特開２００４−２３３０３３号公報
【発明の開示】
【発明が解決しようとする課題】
【０００８】  本発明は上記の点に鑑みなされたものであって、室内に流入する気流と騒音を、生活空間の中で居住者が影響を受けにくい方向に向けて流すことができるようになし、もって上記の問題点を悉く解消することができるようになし、加えて化粧カバーの外部表面での結露の発生を抑制すると共に騒音低減効果を増大させることもできるようになした室内換気口を提供せんとするものである。
【課題を解決するための手段】
【０００９】  而して、本発明の要旨とするところは、外気を取り入れる換気経路の室内側端末開口部に装着される室内換気口において、浅い帽状に成形すると共に外周壁の一部を切欠して通気開口部となした化粧カバーを、室内換気口本体部の前面を覆うように組み付け、更に該化粧カバーを、その円周方向に回動可能となし、該化粧カバーの内側には該化粧カバーとの間に空間部が形成される位置で内面カバーが設けられていることを特徴とする室内換気口にある。【００１０】  また、上記構成において、内面カバーを有孔材としてもよく、更にこの場合に化粧カバーの内面に多孔質材の層を設けるようにしてもよい。【００１１】  また、上記構成において、化粧カバーの少なくとも外部表面を多孔質材の薄膜で被覆するようにしてもよく、また化粧カバーを多孔質材で成形するようにしてもよい。
【発明の効果】
【００１２】  本発明は上記の如き構成であるから、外周壁の一部を通気開口部となした化粧カバーを、その円周方向に回動させることによって、室内換気口から流入する気流と騒音の方向を任意に制御することができるものである。しかも化粧カバーはこれを回すだけの簡単な操作によって、角度をどのような方向にでも自由に変えることができるものである。したがって、流入する気流と騒音を生活空間の中で居住者が影響を受けにくい方向に向けて流すことができるものである。即ち、気流の点については、冷たい給気流が居住者に直接当たることを回避することができ、また気流方向を上方向に向けて、冷たい給気流と室内の上層にある暖かい空気とを混合させることで、給気流が暖められて快適な換気を行うことができるものである。【００１３】  また、気流を向けることが望ましくない方向を避けたり、気流を向けることが望ましい方向に向けたりすることもできるものである。例えば、室内において主な活動場所となる空間位置に気流を向けないようにしたり、調理や喫煙等の空気汚染の発生源に気流を向けて空気の清浄化を促したり、外気に含まれる塵埃によって汚れては困る横壁等がある方向を回避したりすることができるものである。【００１４】  また、騒音の点については、侵入する騒音の中でも耳障りな高周波よりの音は指向性が高く、化粧カバーの通気開口部の向きを生活空間内において音環境を重視したい方向から遠ざけるようにすることで、騒音を和らげることができるものである。例えば、室内において主なコミュニケーションの場所となる空間位置、学習場所や音楽を聴くために少しでも雑音発生を抑えたい空間位置、寝室における枕元の方向に対して、侵入外部騒音の直接音を向けないようにすることができる。また、室内において直接音を向けても問題の少ないと考えられる方向の中で、カーテンやクッション等の吸音力のあるものが設置されている方向に向ける等で、侵入騒音が間接音となって聴取される前にできるだけ減衰させるようにすることができるものである。【００１５】  また、外気の温度が低いと冷たい気流を通すことになって化粧カバーが冷やされ、室内の暖かい空気が該化粧カバーの外部表面に触れるとそこに結露が発生することになり、そして水滴が滴下して室内を汚すことになるが、化粧カバーの内側には該化粧カバーとの間に空間部が形成される位置で内面カバーが設けられていることから、該内面カバーと化粧カバーとの間で空間部を形成させることで空気層ができ、これが断熱層となって、化粧カバーの外部表面での結露の発生を抑制することができるものである。【００１６】  また、内面カバーを有孔材とした場合には、換気口における通気路から該内面カバーと化粧カバーとの間の空間部に屋外の騒音を入り込ませて共鳴形消音機能を付与させることができ、前記断熱空気層による効果に加えて、換気口を通して侵入する屋外騒音の低減効果を得ることもできるものである。【００１７】  また、上記の如く内面カバーを有孔材とした場合において、化粧カバーの内面に多孔質材の層を設けた場合には、前記共鳴形消音機能にこの多孔質材の吸音性能が加わることになり、消音性能での相乗効果を得ることができるものである。また、有孔材の体様によっては内面カバーと化粧カバーとの間の空間部と通気路間での空気の行き来が割合的に多くなるので、その場合にも断熱効果を確保することができるものである。【００１８】  また、化粧カバーの少なくとも外部表面を多孔質材の薄膜で被覆した場合には、多孔質材の薄膜の断熱性能により、上記断熱空気層による効果と相俟って化粧カバーの外部表面での結露の発生をより一層効果的に抑制することができるものである。【００１９】  また、化粧カバーを多孔質材で成形した場合には、化粧カバーそのものにも断熱性や消音性能を持たせることができ、前記断熱空気層とこの多孔質材の断熱性能による断熱性面での相乗効果と、前記共鳴形消音機能にこの多孔質材の吸音性能が加わることによる消音性能面での相乗効果を得ることができるものである。
【発明を実施するための最良の形態】
【００２０】  本発明を実施するための最良の形態は、外気を取り入れる換気経路の室内側端末開口部に装着される室内換気口において、浅い帽状に成形すると共に外周壁の一部を切欠して通気開口部となした化粧カバーを、室内換気口本体部の前面を覆うように組み付け、更に該化粧カバーを、その円周方向に回動可能となし、該化粧カバーの内側には該化粧カバーとの間に空間部が形成される位置で内面カバーが設けられていることにある。
【実施例１】
【００２１】  以下、本発明の実施例について説明する。
図１は本発明の第１実施例に係る室内換気口の斜視図、図２は通気量の手動調整操作機構を省略して示した正面図、図３は図２中Ａ−Ａ線断面図である。【００２２】  図中、１は室内換気口であり、後記化粧カバーを除いて前記した従来の室内換気口と同様の構成である。したがって、同一の部材には同一の符号を付している。尚、室内換気口については、図示はしないがこれ以外の構成のものも含まれるものである。【００２３】  該室内換気口１は、プラスチックからなり、フランジ２の背面に円筒状の胴部３を突設してなる本体部１Ａを、その胴部３を、壁面等に設けられた換気経路の室内側端末開口部（図示せず。）に挿入して装着するようになされているものである。そしてリング状の回動摘み４を回動させて開口部５の開口面積を変化させ、通気量の調整及び通気の遮断の操作を行うようになされているものである。【００２４】  ６はプラスチックからなる化粧カバーである。また、該化粧カバー６は浅い帽状に成形すると共に外周壁の一部を所要の大きさに切欠して通気開口部６Ａとなしたものであり、前記室内換気口本体部１Ａの前面を覆うように組み付けている。そしてまた、該化粧カバー６は、その円周方向に回動可能となされている。よって、化粧カバー６を円周方向に回動させてその通気開口部６Ａの位置を変えることにより、室内換気口から流入する気流と騒音の方向を任意に制御することができるものである。尚、本実施例においては、化粧カバー６の開口端を、室内換気口本体部１Ａにおけるフランジ部２の前面周縁部に突設した保持枠２ａに摺動自在に外嵌して組み付け、もって円周方向に自在に回動させることができるようになされている。【００２５】  また、前記化粧カバー６の内側には該化粧カバー６との間に空間部Ｓが形成される位置で内面カバー７が設けられている。これにより該内面カバー７と化粧カバー６との間で空間部Ｓを形成することで空気層ができ、これが断熱層となって化粧カバー６の外部表面での結露の発生を抑制することができるものである。
【実施例２】
【００２６】  次に、図４に示した本発明の第２実施例について説明する。
本実施例と前記第１実施例との相違点は、本実施例において内面カバーを有孔材としてなる点にある。即ち、内面カバー８を有孔材としたものであり、また、ここでいう有孔材とは、単一開口の板材や成形材、複数開口の板材や成形材、樹脂製織布、樹脂製不織布、樹脂製発泡フォーム、金属製織布、金属製不織布等であり、上記機能を発現するものであれば材質や体様は問わない。また、本実施例のおいては、複数開口の板材をもって有孔材としている。また、８ａは開口である。また、有孔材の孔形状や大きさ、又は素材は、化粧カバー６の形状や大きさ、空間部Ｓの形状や大きさ、目標とする消音性能との兼ね合いで決めることになるが、より高い断熱性能も同時に発現させることを意図する場合は孔寸法はより小さいものとし、素材そのものにも熱伝導率の低いものを選ぶのが理想的である。また、その他の構成は前記第１実施例と同様であるから、同一の部材には同一の符号を付して詳細な説明は省略する。
【実施例３】
【００２７】  次に、図５に示した本発明の第３実施例について説明する。
本実施例は前記第２実施例において、化粧カバー６の内面に多孔質材の層９を設けたものである。また、ここでいう多孔質材とは、繊維系積層素材であるグラスウール、ロックウール、ポリエステル繊維の不織布、発泡系素材であるウレタンフォーム、発泡ゴム、ポリエチレンフォーム、メラミンフォーム、その他の樹脂系発泡素材、及びこれらに類するものである。また、その他の構成は前記第２実施例と同様であるから、同一の部材には同一の符号を付して詳細な説明は省略する。
【実施例４】
【００２８】  次に、図６に示した本発明の第４実施例について説明する。
本実施例と前記第１乃至第３実施例との相違点は、本実施例において化粧カバーの少なくとも外部表面を多孔質材の薄膜で被覆してなる点にある。即ち、化粧カバー６の少なくとも外部表面を多孔質材の薄膜１０で被覆してなるものである。尚、多孔質材の薄膜で被覆する方法としては、シート状のものを接着したり、植毛したり、或いは断熱性の高い材料を塗布したり、更にはインジェクションにより一体成形する等、適宜の手段をもって行うものである。また、その他の構成は前記第１乃至第３実施例と同様であるから、同一の部材には同一の符号を付して詳細な説明は省略する。
【実施例５】
【００２９】  次に、図７に示した本発明の第５実施例について説明する。
本実施例と前記第１及び第２実施例との相違点は、本実施例において化粧カバー６´を多孔質材で成形した点にある。また、６Ａ´は通気開口部である。尚、多孔質材は前記の通りである。また、本実施例のその他の構成は前記第１及び第２実施例と同様であるから、同一の部材には同一の符号を付して詳細な説明は省略する。
【図面の簡単な説明】
【００３０】
【図１】本発明の第１実施例に孫る室内換気口の斜視図である。
【図２】通気量の手動調整操作機構を省略して示した正面図である。
【図３】図２中Ａ−Ａ線断面図である。
【図４】本発明の第２実施例に係る室内換気口の通気量の手動調整操作機構を省略して示した中央縦断側面図である。
【図５】本発明の第３実施例に係る室内換気口の通気量の手動調整操作機構を省略して示した中央縦断側面図である。
【図６】本発明の第４実施例に係る室内換気口の通気量の手動調整操作機構を省略して示した中央縦断側面図である。
【図７】本発明の第５実施例に係る室内換気口の通気量の手動調整操作機構を省略して示した中央縦断側面図である。
【符号の説明】
【００３１】  １  室内換気口
１Ａ  本体部
２  フランジ
２ａ  保持枠
３  胴部
６、６´  化粧カバー
６Ａ、６Ａ´  通気開口部
７  内面カバー
８  有孔材の内面カバー
９  多孔質材の層
１０  多孔質材の薄膜
【図１】
2009007912.tif 000003
【図２】
2009007912.tif 000004
【図３】
2009007912.tif 000005
【図４】
2009007912.tif 000006
【図５】
2009007912.tif 000007
【図６】
2009007912.tif 000008
【図７】
2009007912.tif 000009